(57)【特許請求の範囲】
【請求項１】
顕微鏡本体に光軸と平行な軸回りに回転可能にターレットを設けると共に、該ターレット内に高倍率用コンデンサレンズ群と低倍率用コンデンサレンズ群と極低倍率用コンデンサレンズ群をそれぞれ配置し、該ターレットの回転により、該各コンデンサレンズ群を選択的に照明光路へ挿入可能に構成し、前記ターレットの外周側に設けた光軸方向に上下動させる機構により前記高倍率用コンデンサレンズ群と前記低倍率用コンデンサレンズ群が、前記ターレットの回転に伴い、それぞれ独立して光軸方向に移動するように構成したことを特徴とする顕微鏡用照明光学系。
【請求項２】
前記光軸方向に上下動させる機構は、１個の固定カムにより構成したことを特徴とする請求項１記載の顕微鏡用照明光学系。
【請求項３】
前記高倍率用コンデンサレンズ群及び低倍率用コンデンサレンズ群の前側焦点位置に開口を調節可能な開口絞りをそれぞれ独立して設け、該各コンデンサレンズ群と一体に光軸方向へ移動するように構成したことを特徴とする請求項１または２記載の顕微鏡用照明光学系。
【発明の詳細な説明】
【０００１】
【発明の属する技術分野】
本発明は、顕微鏡に用いる顕微鏡用照明光学系に関する。
【０００２】
【従来の技術】
顕微鏡では、異なる倍率の対物レンズが低倍率から高倍率まで幅広く使用されている。これら倍率の異なる対物レンズを低倍率から高倍率まで迅速に変換しながら使用する場合、広範な対物レンズの倍率に対応した試料視野を一種類のコンデンサレンズで、均一で良好に照明することは困難である。
【０００３】
すなわち、高倍率の対物レンズのときには、大きな開口数が必要となるのに対して、低倍率の対物レンズのときには大きな視野が必要となるからである。従って、使用する対物レンズの倍率幅が大きな場合には、何らかの切換手段によってコンデンサレンズを切換える必要がある。
【０００４】
従来、このコンデンサレンズの切換え方式としては、（１）コンデンサレンズの先玉部（先端部）を照明光路から脱する方式、（２）コンデンサレンズの下部照明光路に別のレンズを追加する方式、（３）コンデンサレンズの先玉部を照明光路から脱すると同時に、新規レンズを光路に追加する方式等がある。
【０００５】
これらの具体的として、第１の公知例（特公昭６１ー３４１２６号公報）や、第２の公知例（特開昭６３ー１８３４１４号公報）に開示されている。しかし、これらの方式では、１．２５倍程度の低倍率の対物レンズまでへの対応が限界であり、１．２５以下の倍率特に１倍以下の極低倍率に対処することは不可能であった。
【０００６】
さらに、コンデンサレンズの先玉部を光路から脱した場合には、開口絞り位置と照明レンズの前側焦点位置がずれてしまい、開口絞りが機能しないという欠点を有するものであった。
【０００７】
また従来、３種類のコンデンサレンズ群を有していて、これらを切換えることにより、０．５倍の対物レンズから１００倍の対物レンズまで対応可能な構成が、第３の公知例（特開平９ー３３８２０号公報）に開示されている。これは、対物レンズの倍率が１０倍〜１００倍に対応する高倍率のコンデンサレンズ群と、対物レンズの倍率が２倍〜４倍に対応する低倍率のコンデンサレンズ群と、対物レンズの倍率が０．５倍〜１倍に対応する極低倍率コンデンサレンズ群を設け、照明光軸と各コンデンサレンズ群の光軸とを同一平面内に配置し、照明光軸と各コンデンサレンズ群の光軸とが互いに１点で交差するように構成し、この交点に光軸平面と直交する回転軸を設け、この回転軸によって各コンデンサ群を回転することにより、切換えを行う構成のものである。
【０００８】
【発明が解決しようとする課題】
しかし、第３の公知例の構成にあっては、３種類のコンデンサレンズ群の光軸を同一平面内に構成しているため、回転軸近辺の光路には、一定の空間スペースが必要となり、これが各コンデンサレンズ群の照明性能を最適化させる上での制約となり、また開口絞りがコンデンサレンズ群の内部ないしはその近傍に構成できないという欠点があった。
【０００９】
このため、第３の公知例においては、コンデンサレンズ群の前側焦点位置と共役な面に光源像を作るように、コレクタレンズ群および中間レンズ群を配置し、この光源像面に開口絞りを設ける構成としてある。
【００１０】
しかしながら、このような構成では、スペース上開口絞り位置は、顕微鏡本体のベース部に位置させることになり、第３の公知例によるコンデンサレンズ群を一般的な顕微鏡に適用するためには、顕微鏡本体のベース部に開口絞りを追加しなければならない。
【００１１】
本発明は、上記の実状に基づいてなされたもので、簡単な切換手段によって、広範な対物レンズの倍率幅に対処することができ、特に対物レンズの倍率１倍以下の範囲についてもカバーでき、顕微鏡本体の大幅な改造なしに適用できる顕微鏡用照明光学系を提供することを目的とする。
【００１２】
【課題を解決する手段】
前記目的を実現するため、請求項１に対応する発明は、顕微鏡本体に光軸と平行な軸回りに回転可能にターレットを設けると共に、該ターレット内に高倍率用コンデンサレンズ群と低倍率用コンデンサレンズ群と極低倍率用コンデンサレンズ群をそれぞれ配置し、該ターレットの回転により、該各コンデンサレンズ群を選択的に照明光路へ挿入可能に構成し、前記ターレットの外周側に設けた光軸方向に上下動させる機構により前記高倍率用コンデンサレンズ群と前記低倍率用コンデンサレンズ群が、前記ターレットの回転に伴い、それぞれ独立して光軸方向に移動するように構成したことを特徴とする顕微鏡用照明光学系である。
【００１３】
請求項１に対応する発明によれば、ターレットを回転させて高倍率用コンデンサレンズ群または低倍率用コンデンサレンズ群を照明光路に挿入した場合は、コンデンサレンズ群は、光軸方向に上下動させる機構によって正規の照明位置に移動させることができ、各コンデンサレンズ群は独立して配置されるので、レンズ構成上の制約が少なく、それぞれ各倍率用に最適な性能のレンズ構成ができ、高倍率用コンデンサレンズ群及び低倍率用コンデンサレンズ群とも独立して光軸方向に移動するので、顕微鏡の他の構成要素例えばステージとの干渉を回避することが容易で、回転可能なターレットという簡易な切換手段によって極低倍率から高倍率までの広範な対物レンズの倍率幅に対処することができる。
【００１４】
また、請求項１に対応する発明によれば、ターレットを回転させて高倍率用コンデンサレンズ群または低倍率用コンデンサレンズ群を、照明光路から脱する場合には、コンデンサレンズ群は、顕微鏡ステージの下部に形成されている開口穴及びステージ受の開口穴の範囲内でステージ及びステージ受けと干渉しない位置まで、移動されるので、ターレットの回転角度が大きくなってもステージ等との干渉がなく、容易にコンデンサレンズ群の切換えができる。
【００１５】
なお、極低倍率用コンデンサレンズ群は、その焦点距離が長いため、ステージ等と干渉しない前記ターレット内に固定可能であるので、切換えによる支障が生じない。
【００１６】
請求項２に対応する発明は、前記光軸方向に上下動させる機構は、１個の固定カムにより構成したことを特徴とする請求項１記載の顕微鏡用照明光学系である。
【００１７】
請求項２に対応する発明によれば、高倍率用コンデンサレンズ群及び低倍率用コンデンサレンズ群を光軸方向に移動させるための固定カムは、１個で共用できるので、原価の低廉化が可能となる。
【００１８】
請求項３に対応する発明は、前記高倍率用コンデンサレンズ群及び低倍率用コンデンサレンズ群の前側焦点位置に開口を調節可能な開口絞りをそれぞれ独立して設け、該各コンデンサレンズ群と一体に光軸方向へ移動するように構成したことを特徴とする請求項１または２記載の顕微鏡用照明光学系である。
【００１９】
請求項３に対応する発明によれば、前記高倍率用コンデンサレンズ群及び低倍率用コンデンサレンズ群とにそれぞれ独立に開口絞りが構成でき、顕微鏡本体の改造なしに、対物レンズの各倍率で照明開口の調節が可能となる。
【００２０】
【発明の実施の形態】
以下、本発明の実施形態について図面を参照して説明する。
＜第１の実施形態＞
図１は第１の実施形態の要部のみを示す縦断面図であり、図２は図１の一部を断面した上面図であり、図３は図２におけるＢーＯーＢ´に沿って切断して矢印方向に見た図であり、図４は図１の固定枠のカム溝の展開図である。
【００２１】
（構成）
図中、１００は顕微鏡本体で、該顕微鏡本体１００に有する図示しない焦準機構機構部にステージ受１０１が焦準可能に固定されている。ステージ受１０１の上部には、試料１０３を載置するステージ１０２が固定されている。ステージ１０２の下部には開口部１０２ａが設けられている。
【００２２】
顕微鏡本体１００のベース部には、光源１０４と、集光レンズ１０５、中間レンズ１０６、視野絞り（ＦＳ）１０７、ミラー１０８からなる中間光学系が収納されている。光源１０４を発した照明光束は、該中間光学系１０５，１０６，１０７，１０８を通り、ステージ１０２の下部に回転可能に配置されたコンデンサターレット１２内に収納された後述するコンデンサレンズ群１６，１７，１８を通って、ステージ１０２の上面に載置された試料１０３を照明し、該試料１０３の上方に配置されている図示しない対物レンズおよび接眼レンズによって試料像を観察できるようになっている。
【００２３】
ステージ受１０１には、アリ機構により着脱可能にコンデンサホルダ本体１が固定されている。コンデンサホルダ本体１には、アリガイドにより上下動可能に移動ホルダ２が設けられ、移動ホルダ２にはラック４が固定され、コンデンサホルダ本体１には該ラック４と歯合するピニオン３が回転可能に軸支され、ピニオン３には焦準ハンドル５および６が固定されており、焦準ハンドル５および６を回転操作することによりピニオン３が回転し、これと歯合しているラック４が上下動し移動ホルダ２が上下動するように構成されている。
【００２４】
移動ホルダ２には、コンデンサレンズ群を光軸方向に上下動させる機構例えば固定カムを構成する固定枠７が水平方向に移動可能に取付けられており、移動ホルダ２に取付けられているプランジャ８、心出しねじ１０，１１により水平方向に移動するようになっている。
【００２５】
固定枠７には軸１３が固定され、軸１３には軸受１４，１５が装着され、軸受１４，１５には、ほぼ円筒状のコンデンサターレット１２が回転可能に支持されている。コンデンサターレット１２には、高倍率用コンデンサレンズ群１６、低倍率用コンデンサレンズ群１７および極低倍率用コンデンサレンズ群１８がコンデンサターレット１２の回転軸心すなわち軸１３からそれぞれの光軸心までの距離が同一となるように円弧状に配置されている。コンデンサターレット１２には、各コンデンサレンズ群１６，１７，１８が照明光路に挿入された位置に対応してクリック溝１２ａ，１２ｂおよび１２ｃが設けられており、固定枠７に固定されているクリック装置１９によりクリックストップするように構成されている。
【００２６】
ここで、使用する高倍率用コンデンサレンズ群１６は対物レンズの倍率が１０〜１００倍に対応し、また低倍率用コンデンサレンズ群１７は対物レンズの倍率が１．２５〜４倍に対応し、さらに極低倍率用コンデンサレンズ群１８は対物レンズの倍率が０．５倍に対応しており、極低倍率用コンデンサレンズ群１８の照射視野（照野）は直径が５３mmである。
【００２７】
高倍率用コンデンサレンズ群１６は、レンズ５１，５２およびレンズ５３，５４，５５で構成され、各レンズ５１〜５５は高倍率用レンズ枠５６，５７，５８に固定されており、各レンズ枠５６〜５８は互いに一体に固定されている。
【００２８】
高倍率用レンズ枠５６は、コンデンサターレット１２に光軸方向に摺動可能に嵌合しており、高倍率用レンズ枠５６にはカムピン５９が固定され、カムピン５９はコンデンサターレット１２に光軸と平行に設けられた長穴１２ｘに摺動可能に嵌合され、カムピン５９は固定枠７に設けられたカム溝７ａに摺動可能に嵌合している。
【００２９】
高倍率用コンデンサレンズ群１６のレンズ５３，５４，５５の前側焦点位置に虹彩絞り６０を設け、高倍率用レンズ枠５６と５７の間に回動可能に絞り調節環６１を設け、絞り調節環６１の回動によって虹彩絞り６０の調節が可能に構成されている。
【００３０】
絞り調節環６１には、Ｕ字状の穴６２ａを有する絞り板６２が固定されており、該Ｕ字状の穴６２ａは、絞り操作環２０に固定されたつなぎ板２１に固定された絞り軸２２と摺動可能に嵌合している。そして、コンデンサターレット１２にはカバー２４が固定され、カバー２４に支持されたバネ６３により高倍率用レンズ枠５６が下方に付勢されるように構成されている。
【００３１】
なお、絞り操作環２０は、コンデンサターレット１２に回動可能に嵌合し、コンデンサターレット１２に固定された支持部材２３により複数箇所を回動可能に支持されている。
【００３２】
低倍率用コンデンサレンズ群１７は、レンズ７１，７２およびレンズ７３，７４，７５で構成され、各レンズ７１〜７５は低倍率用レンズ枠７６，７７，７８に固定されており、各低倍率用レンズ枠７６〜７８は互いに一体に固定されている。低倍率用レンズ枠７６は、光軸方向に摺動可能にコンデンサターレット１２に嵌合しており、低倍率用レンズ枠７６にカムピン７９が固定され、カムピン７９はコンデンサターレット１２に光軸と平行に形成された長穴１２ｙに摺動可能に嵌合されている。また、カムピン７９は固定枠７に形成されたカム溝７ａに摺動可能に嵌合されている。
【００３３】
低倍率用コンデンサレンズ群１７のレンズ７３，７４，７５の前側焦点位置に虹彩絞り８０が配設され、低倍率用レンズ枠７６または７７との間に、回動可能に絞り調節環８１が設けられ、絞り調節環８１の回動によって虹彩絞り８０の調節が可能に構成されている。
【００３４】
絞り調節環８１には、Ｕ字状の穴８２ａを有する絞り板８２が固定されており、該Ｕ字状の穴８２ａは、絞り操作環２０に固定されたつなぎ板２５に固定された絞り軸２６と摺動可能に嵌合している。そして、コンデンサターレット１２に固定されたカバー２４に支持されたバネ８３により低倍率用レンズ枠７６が下方に付勢されされるように構成されている。
【００３５】
固定枠７に形成されたカム溝７ａは、図４に示すように高倍率用レンズ群１６及び低倍率用レンズ群１７が、それぞれ照明光路に挿入された場合に正規照明位置になるように構成されており、カム溝７ａの傾斜は、高倍率用コンデンサレンズ群１６及び低倍率用コンデンサレンズ群１７が照明光路に挿脱される場合に、それぞれのコンデンサレンズ群の先玉部がステージ１０２の開口部１０２ａと干渉しないコンデンサターレット１２の回転角度αの範囲内で、コンデンサレンズ群の先玉部がステージ１０２及びステージ受１０１と干渉しないＡ寸法だけ上下動するように構成されている。
【００３６】
極低倍率用コンデンサレンズ群１８は、レンズ９１，９２，９３，９４および９５で構成され、それぞれコンデンサターレット１２へ直接あるいは極低倍率用レンズ枠９６を介して固定されている。また、極低倍率用コンデンサレンズ群１８の前側焦点位置は、高倍率用コンデンサレンズ群１７の視野絞り１０７の位置と一致するように構成されている。
【００３７】
（作用）
以上述べた第１の実施形態の作用について説明する。コンデンサターレット１２を回して、高倍率用コンデンサレンズ群１６または低倍率用コンデンサレンズ群１７を、照明光路に挿入した場合には、各レンズ群１６，１７のレンズ枠５６あるいは７６に固定されたカムピン５９あるいは７９が、カム溝７ａに沿って移動され、各レンズ群１６あるいは１７が正規照明位置まで上昇し、顕微鏡本体１００のベース部に設けられた中間光学系と相俟って、それぞれ試料１０３を照明する。
【００３８】
この場合、各レンズ群１６あるいは１７の先玉部の前側焦点位置に構成した虹彩絞り６０あるいは８０は、各レンズ群１６あるいは１７とそれぞれ一緒に移動し、開口絞りとして機能する。すなわち、各レンズ群１６あるいは１７内に構成された絞り調節環６１あるいは８１に固定された絞り板６２あるいは８２に設けられたＵ字穴６２ａあるいは８２ａが、絞り操作環２０を回動することで、絞り調節環６１あるいは８１を回転させ、虹彩絞り６０あるいは８０の開口を調節し、観察像のコントラストや明るさを調節することができる。
【００３９】
なお、該高倍率用コンデンサレンズ群１６あるいは低倍率用コンデンサレンズ群１７が照明光路に挿入された場合には、それらの位置に対応してコンデンサターレット１２に設けられたクリック溝１２ａあるいは１２ｂと、固定枠７に固定されたクリック装置１９とで、該コンデンサターレット１２はクリップストップされるので、絞り操作環２０の操作で各コンデンサレンズ群の位置がずれることがない。
【００４０】
また、固定枠７に設けられたカム溝７ａは、高倍率用コンデンサレンズ群１６および低倍率用コンデンサレンズ群１７の先玉部がステージ１０２の開口部１０２ａと干渉しないコンデンサターレット１２の回転角度αの範囲内で、コンデンサレンズ群１６および１７の先玉部がステージ１０２及びステージ受１０１と干渉しない寸法Ａだけ上下動するように構成されているので、コンデンサターレット１２を回転してもコンデンサレンズ群１６および１７が、ステージ１０２及びステージ受１０１と干渉することがない。
【００４１】
すなわち、図４のカム溝７ａの展開図において、高倍率用コンデンサレンズ群１６を照明光路に挿入した場合、レンズ枠５６に固定されたカムピン５９は、Ｄに位置し、低倍率用コンデンサレンズ群１７のレンズ枠７６に固定されたカムピン７９はＣの位置に位置することとなり、低倍率用コンデンサレンズ群１７を照明光路に挿入した場合には、カムピン７９はＤの位置にカムピン５９はＥの位置に位置することとなり、極低倍率用コンデンサレンズ群１８を照明光路に挿入した場合には、カムピン７９はＦの位置に、カムピン５９はＧの位置に位置することになるので、高倍率用コンデンサレンズ群１６または低倍率用コンデンサレンズ群１７が照明光路に挿入されるときには、当該コンデンサレンズ群は正規の位置に位置すると共に、照明光路から外れるときには図４の寸法Ａだけ光軸に沿って下向きに移動し、コンデンサターレット１２を回転してもコンデンサレンズ群１６及び１７が、ステージ１０２及びステージ受１０１と干渉することがない。
【００４２】
なお、極低倍率用コンデンサレンズ群１８は、コンデンサターレット１２内に固定されているので、コンデンサターレット１２を回転してもステージ１０２とステージ受１０１と干渉することがない。
【００４３】
該極低倍率用コンデンサレンズ群１８を照明光路に挿入した場合には、その位置に対応してコンデンサターレット１２に設けられたクリック溝１２ｃと固定枠７に固定されたクリック装置１９とでコンデンサターレット１２はクリックストップされる。
【００４４】
また、極低倍率用コンデンサレンズ群１８を照明光路に挿入した場合には、該極低倍率用コンデンサレンズ群１８の前側焦点位置と高倍率用コンデンサレンズ群１６あるいは低倍率用コンデンサレンズ群１７を照明光路に挿入した場合の視野絞り１０７の位置とが一致するように構成されているので、視野絞り１０７は極低倍率用コンデンサレンズ群１８を照明光路に挿入した場合には開口絞りとして作用し、この開口絞りを調節することで、極低倍率用コンデンサレンズ群１８の開口を調節して観察像のコントラストや明るさを調節することができる。
【００４５】
さらに、焦準ハンドル５または６を操作してコンデンサターレット１２を上下し、各コンデンサレンズ群の焦点位置の微調節ができ、心出しねじ１０および１１を操作してコンデンサターレット１２を水平移動し、各コンデンサレンズ群の光軸位置の微調節ができる。
【００４６】
また、高倍率用コンデンサレンズ群１６及び低倍率用コンデンサレンズ群１７は、バネ６３及びバネ８３でそれぞれ下方に付勢されているので、カムピン５９および７９はカム溝７ａに沿って正確に移動される。
【００４７】
（効果）
以上述べた第１の実施形態によれば、次のような効果が得られる。
１）各倍率用のコンデンサレンズ群１６，１７，１８が独立してコンデンサターレット１２内に配置され、従来の技術のようにレンズユニットや光路空間の共有等の制約がないので、各倍率用に最適な性能のレンズ構成ができる。
【００４８】
２）高倍率用及び低倍率用コンデンサレンズ群とも、コンデンサレンズ群内に開口絞りを配置することができるので、顕微鏡本体１００に絞りを追加する必要がなく、各倍率で照明開口の調節ができる。
【００４９】
３）高倍率用コンデンサレンズ群１６及び低倍率用コンデンサレンズ群１７とも独立して上下動するので、コンデンサレンズ群の退避のためのステージ１０２の開口部１０２ａを特別に大きくする必要がなく、従来のステージが使用可能で、コンデンサターレット１２の回転と言う簡単な操作で極低倍率から高倍率まで照明ができる。
【００５０】
４）高倍率用コンデンサレンズ群１６及び低倍率用コンデンサレンズ群１７を光軸方向に上下動させる固定カム７は１個で共用できるので、機構も簡単で安価に製造できる。
【００５１】
（第１の実施形態の変形例）
ａ）第１の実施形態のカムピン５９，７９の先端部に、ラジアルベアリングを取付け、カム溝７ａ面を転動するように構成することもできる。このように構成することにより、コンデンサターレット１２の回転をより円滑にすることができる。
【００５２】
ｂ）第１の実施形態では、コンデンサレンズ部をステージ受１０１に取付ける構造について説明したが、これをコンデンサレンズ部をステージ受１０１から独立して顕微鏡本体１００に取付けるように構成してもよい。この具体的構成については、本出願人が出願した公開公報（特開平７ー１７４９７７号公報）に記載されているので、ここではその詳細な説明は省略する。
【００５３】
＜第２の実施形態＞
（構成）
図５〜図７を参照して第２の実施形態について説明する。図５は縦断面図であり、図６は図５の一部を断面した上面図であり、図７は図５のカムの展開図である。ここでは、前述の第１の実施形態と同一部分には同一符号を付してその説明を省略する。低倍率用コンデンサレンズ群１７および極低倍率レンズ１８は、図３と同一であるので、図３を参照して説明する。
【００５４】
図３および図５〜図７において、２００は固定枠７に一体に固定され、後述する回転角度αの２倍よりも若干大きく形成された扇形状のカムで、カム２００にはレンズ枠５６（高倍率用コンデンサレンズ群１６を支持しているもの）に固定されたカムピン５９およびレンズ枠７６（低倍率用コンデンサレンズ群１７を支持しているもの）に固定されたカムピン７９が接触しており、コンデンサターレット１２の回転によりカムピン５９，７９が摺動するようになっている。
【００５５】
また、カム２００は、高倍率用コンデンサレンズ群１６および低倍率用コンデンサレンズ群１７が照明光路に挿入された場合に、それぞれ正規照明位置となるように構成されている。
【００５６】
そして、カム２００の傾斜は、高倍率用コンデンサレンズ群１６および低倍率用コンデンサレンズ群１７が照明光路に挿脱される場合にそれぞれコンデンサレンズ群の先玉部がステージ１０２に形成されている開口部１０２ａと干渉しないコンデンサターレット１２の回転角度αの範囲内で、該コンデンサレンズ群のそれぞれの先玉部が、ステージ１０２およびステージ受１０１と干渉しない寸法Ａだけ上下動可能に構成されている。
【００５７】
（作用）
次に、このように構成された第２の実施形態の作用について、説明する。高倍率用コンデンサレンズ群１６のレンズ枠５６に固定されたカムピン５９および低倍率用コンデンサレンズ群１７のレンズ枠７６に固定されたカムピン７９とが、カム２００と接触しない位置にある場合には、高倍率用コンデンサレンズ群１６および低倍率用コンデンサレンズ群１７は、バネ６３および８３でそれぞれ常に下方に付勢されているので、カムピン５９および７９は、コンデンサターレット１２に光軸と平行に形成された長穴１２ｘおよび１２ｙの下端面にそれぞれ接して保持される。
【００５８】
従って、この状態でコンデンサターレット１２を回転しても各コンデンサレンズ群１６，１７，１８とステージ１０２およびステージ受１０１が干渉することがない。
【００５９】
また、コンデンサターレット１２を回転して高倍率用コンデンサレンズ群１６および低倍率用コンデンサレンズ群１７を照明光路に挿脱する場合にも、各コンデンサレンズ群１６，１７は、バネ６３および８３で常に下方に付勢されているので、カムピン５９および７９は、常にカム２００の面に接して上下動し、カム２００の傾斜は、各コンデンサレンズ群１６，１７が、ステージ１０２およびステージ受１０１と干渉しないように構成されているので、コンデンターレット１２が回転することで、干渉無く容易にコンデンサレンズ群１６，１７，１８の切換えができる。
【００６０】
（効果）
この結果、第２の実施形態によれば、カム２００は各コンデンサレンズ群１６，１７を上下動させる必要範囲すなわち２αより若干大きく扇形状に構成すればよいので、第１の実施形態に比べて、カム２００の加工が容易となり、その分安価に製造できる。これ以外の効果は、第１の実施形態と同一である。
【００６１】
（第２の実施形態の変形例）
ａ）第１の実施形態と同様に、第２の実施形態のカムピン５９，７９の先端部に、ラジアルベアリングを取付け、カム２００の傾斜面を転動するように構成することもできる。このように構成することにより、コンデンサターレット１２の回転をより円滑にすることができる。
【００６２】
ｂ）第２の実施形態では、コンデンサターレット１２をステージ受１０１に取付ける構造について説明したが、これをコンデンサレンズ群をステージ受１０１から独立して顕微鏡本体１００に取付けるように構成してもよい。この具体的構成については、本出願人が出願した公開公報（特開平７ー１７４９７７号公報）に記載されているので、ここではその詳細な説明は省略する。
【００６３】
【発明の効果】
以上述べた本発明によれば、簡単な切換手段によって、広範な対物レンズの倍率幅に対処することができ、特に対物レンズの倍率１倍以下の範囲についてもカバーでき、顕微鏡本体の大幅な改造なしに適用できる顕微鏡用照明光学系を提供することができる。
【図面の簡単な説明】
【図１】本発明の顕微鏡用照明光学系の第１の実施形態を示す縦断面図。
【図２】図１の一部を断面した上面図。
【図３】図２のＢーＯーＢ´線に沿って切断し矢印方向に見た断面図。
【図４】図１のカム溝の展開図。
【図５】本発明の顕微鏡用照明光学系の第２の実施形態を示す縦断面図。
【図６】図１の一部を断面した上面図。
【図７】図５のカム溝の展開図。
【符号の説明】
１…コンデンサホルダ本体
２…移動ホルダ
３…ピニオン
４…ラック
５，６…焦準ハンドル
７…カム溝７ａを有する固定枠
８…プランジャー
９…心出しバネ
１０，１１…心出しねじ
１２…コンデンサターレット
１３…軸
１６…高倍率用コンデンサレンズ群
１７…低倍率用コンデンサレンズ群
１８…極低倍率用コンデンサレンズ群
２０…絞り操作環
５６，７６…レンズ枠
５９，７９…カムピン
６０，８０…虹彩絞り
６１，８１…絞り調節環
６３，８３…バネ
１０１…ステージ受
１０２…ステージ
２００…扇形状のカム
【図１】
0003869087.tif 000002
【図２】
0003869087.tif 000003
【図３】
0003869087.tif 000004
【図４】
0003869087.tif 000005
【図５】
0003869087.tif 000006
【図６】
0003869087.tif 000007
【図７】
0003869087.tif 000008